(57)【要約】      （修正有）【課題】衣類を洗濯後乾燥させるときに、サイズを問わずに干せ、型崩れを防ぐことができ、かつ、衣類が重ならず乾きやすく干すスペースもコンパクトである円筒型物干し具を提供する。【解決手段】格子状の平面板３を丸めることで円筒にし、デリケートな衣類の場合、格子の型がついてしまうので円筒の表面を、メッシュ素材４で被う。円筒上部に衣類を掛けることでサイズを問わず干すことができる。角がないため型崩れせず、袖を円筒本体の中にいれることで伸びを防ぎ、重ならないので乾きも早い。本体にフック付き吊り具１と連結させるためのフック受け６を付けることで複数個を連結させて空間を効率よく使用することができ、使用後は差し込み部５を外すと平面に折りたたむことができ、収納場所を取らない。【選択図】図１
0003223180.tif 000002
【実用新案登録請求の範囲】
【請求項１】
格子状の平面板を横長につくり丸めることで円筒にし、その円筒の左右上部にフック付きの吊り具を備え付けたことを特徴とする円筒型物干し具。
【請求項２】
前述、本体は、両端に平面板部を備えた格子状の平面板であり、一端の平面板部は差し込み穴を有し、他端の平板部は差し込み部を有するため格子状の平面板が丸められ、前述差し込み部が前記差し込み穴に差し込まれた形態であり、それを取り外すことで、また平面になることを特徴とする円筒型物干し具。
【請求項３】
前述、円筒の両端は丸みのある形状の枠を備えたことを特徴とする円筒型物干し具。
【請求項４】
前述、円筒の表面は、衣類にやさしいメッシュ素材で被われていることを特徴とする円筒型物干し具。
【請求項５】
前述、円筒の両端下部に連結用フック受けを備えたことを特徴とする円筒型物干し具。
【考案の詳細な説明】
【技術分野】
【０００１】  本考案は、円柱状の横長筒上部に洗濯物を掛けることで、衣類の大きさに関係なく、また袖部分は円筒の中に入れるため衣類の伸びや重なりがなく、衣類の型崩れを防止することができる。また、連結用フック受けによって複数個連結させることができるため効率よく干せる円筒型物干し具に関するものである。
【背景技術】
【０００２】  セーターやデリケートな衣類を自宅で洗濯乾燥する場合、既存のハンガーに干すと肩、裾、袖などに折り目やしわがつき、自体の水分の重みで伸び型崩れしていた。これに対し特許文献１で平干しできる器具も提案されている。しかしサイズの大きい衣類は平面に収まらず、重なり合うので乾きも遅く袖も伸び型崩れしていた。平面で大型なものなので干すスペースも必要であった。
型崩れした衣類は見た目が悪く、また形を整えるためにはアイロン等をかけなければならず手間と時間がかかるという問題もあるため解消したい。
【先行技術文献】
【特許文献】
【０００３】
【特許文献１】実用新案登録第３０８１５３２号
【考案の概要】
【考案が解決しようとする課題】
【０００４】本考案の目的は、円筒型の物干し具にすることによって、その型崩れや伸びを防止しようとするものである。加えて、乾きやすさや干すスペースもコンパクトにしたく、このような問題点を解決しようとするものである。
【課題を解決するための手段】
【０００５】  本考案は上記課題を解決するため、格子状の平面板を横長につくり丸めることで円筒にし、その素材だけではデリケートな衣類の場合、格子の型がついてしまうので円筒の表面は、衣類にやさしいメッシュ素材で被う。本体にフック付き吊り具と連結用フック受けが付いているので複数個を連結させて効率よく空間を使用することができ、使用後は合わせ目を外すと平面になるため収納場所を取らないことで様々な問題点を解決しようとするものである。
【考案の効果】
【０００６】  このように本考案は円筒型物干し具であるため、衣類のサイズを問わず様々な衣類を型崩れなく干すことができ、平干しとは違い空間を効率的に使用できるので複数個の衣類を同時に干せる。袖も筒の中にいれるので伸びもなく乾きも早い。
また、格子状の平板部を丸めることにより構成されているため、円筒の差し込み部と差し込み穴を外すことで、平面になることで隙間等に収納できるので、収納場所を最小にできる。このように、円筒型物干し具は、今までにない形状のものであり、従来の問題点はすべて解消できる。よって、家事従事者のストレス軽減に役立つものである。
【考案を実施するための形態】
【０００７】以下、図１、図２、図３に基づいて本考案の円筒型物干し具を説明する。
【０００８】図１の本体をもとにする。本体の、格子状の平面板［図１―３］は強度のある素材を使用し円筒を作り、その上に衣服を傷めないためメッシュ素材［図１―４］を張る。これは本体の格子全体を覆い被すようにする。
【０００９】図２に基づく場合、本体を円筒にするため格子状の平面板［図２―３］の両端にある平面板［図２―８、９］に付随する差し込み部［図２―５］を後ろ側へ回しそれを受ける差し込み穴［図２―７］に差し込む形態にし引っ掛け、円筒にする。この部分は円筒を保つ強度を必要とする。また、それを取り外すことで格子状の平面板［図２―３］になる。
【００１０】本体中央に固定しているフック付き吊り具［図２―１］は、フックが掛かるところであればどこにでも使用できる。下に連結させる場合には本体の連結用フック受け［図２―６］にかけることで連結させることができる。同様のものを２個３個と連結させ使用できる。
【００１１】本体円筒の枠にあたる丸みのある枠［図２―２］は袖に角をつけないよう丸みのある形状の枠にする。
【実施例】
【００１２】本考案は上述のような構成からなるものであるが、以下、実施例として説明する。【００１３】強度のある格子は円筒にしやすいよう薄く平たい形状とする。
本体円柱の直径は１０センチ以上、幅は４０センチ以上とする。【００１４】本体のフック付き吊り具［図１―１］は上述したように掛ける所があれば室内や屋外を問わずどこにでも使用できるが、その例を示したものを図３に図示している。
そのまま［図３−ａ］のように物干し竿にも掛けられ、干すスペースが少ない場合は［図３−ｂ］の回転するハンガーに、強風の場合は［図３−ｃ］の固定できるばね式のハンガー、［図３−ｄ］の自宅にあるハンガー、［図３−ｅ］のＳ字フックや回転するＳ字フックなど、用途によって変えることができる。
【図面の簡単な説明】
【００１５】
【図１】円筒型物干し具
【図２】円筒型物干し具を平板状に展開した図
【図３−ａ】円筒型物干し具を物干し竿に吊るした図
【図３−ｂ】円筒型物干し具を回転可能なハンガーに吊るした図
【図３−ｃ】円筒型物干し具をバネ式ハンガーに吊るした図
【図３−ｄ】円筒型物干し具を自宅にあるハンガーに吊るした図
【図３−ｅ】円筒型物干し具をＳ字フックに吊るした図
【符号の説明】
【００１６】１    フック付き吊り具
２    丸みのある形状の枠
３    格子状の平面板
４    メッシュ素材
５    差し込み部
６    連結用フック受け
７    差し込み穴
８    平面板
９    平面板
【図１】
0003223180.tif 000003
【図２】
0003223180.tif 000004
【図３】
0003223180.tif 000005
【手続補正書】
【提出日】令和1年7月10日(2019.7.10)
【手続補正１】
【補正対象書類名】実用新案登録請求の範囲
【補正対象項目名】全文
【補正方法】変更
【補正の内容】
【実用新案登録請求の範囲】
【請求項１】
格子状の平面板を横長につくり丸めることで円筒にし、その円筒の左右上部にフック付きの吊り具を備え付けたことを特徴とする円筒型物干し具。
【請求項２】
本体は、両端に平面板部を備えた格子状の平面板であり、一端の平面板部は差し込み穴を有し、他端の平板部は差し込み部を有するため格子状の平面板が丸められ、前記差し込み部が前記差し込み穴に差し込まれた形態であり、それを取り外すことで、また平面になることを特徴とする請求項１に記載された円筒型物干し具。
【請求項３】
円筒の両端は丸みのある形状の枠を備えたことを特徴とする請求項１または請求項２のいずれか一項に記載された円筒型物干し具。
【請求項４】
円筒の表面は、衣類にやさしいメッシュ素材で被われていることを特徴とする請求項１から請求項３のいずれか一項に記載された円筒型物干し具。
【請求項５】
円筒の両端下部に連結用フック受けを備えたことを特徴とする請求項１から請求項４のいずれか一項に記載された円筒型物干し具。